(57)【特許請求の範囲】
【請求項１】
紙幣を用いた処理を実行するための装置であって、
入金された紙幣の特徴を読み取り、入金紙幣の特徴を示す入金紙幣特徴データを取得するセンサ部と、
前記入金紙幣特徴データに基づいて、前記入金紙幣は一部に折れがある可能性がある折れ紙幣であるか否かを、前記入金紙幣に一部欠損した欠損領域が存在するか否かにより判定する折れ紙幣判定部と、
該入金紙幣の折れを修正するための折れ修正処理を実行する折れ修正処理部と、
を備え、
前記折れ修正処理部は、更に、
前記入金紙幣が折れ紙幣である場合、該折れが修正される可能性のあるものであるか否かを前記入金特徴データに基づいて判定する判定部を備え、
前記判定部が、修正される可能性があると判定した場合にのみ、前記折れ修正処理を実行する、
装置。
【請求項２】
請求項１記載の装置であって、
紙幣を搬送する搬送装置を備え、
前記折れ修正処理は、前記搬送装置を制御することによって、前記入金紙幣の搬送の向きを逆向きに変更する処理である、
装置。
【請求項３】
請求項１記載の装置であって、
前記折れ修正処理は、利用者に前記入金紙幣を返却し、前記入金紙幣の再投入方向を指示するガイダンスを表示する処理であって、前記再投入方向は、前記入金紙幣の搬送時に折れが修正される可能性のある方向である、
装置。
【請求項４】
請求項３記載の装置であって、
前記入金紙幣特徴データは、前記装置内の前記入金紙幣の画像データを含み、
前記折れ修正処理部は、前記ガイダンスに、前記画像データに基づく前記入金紙幣の画像を表示する、
装置。
【請求項５】
請求項１記載の装置であって、更に、
紙幣を搬送する搬送装置を備え、
前記判定部は、前記入金紙幣の折り目の山に相当する部位が、前記入金紙幣が搬送される状態で搬送方向に向いているか否かを判定することにより、前記入金紙幣の折れが修正可能なものであるか否か判定する、
装置。
【請求項６】
請求項１記載の装置であって、
前記判定部は、前記欠損領域の大きさが、予め定められた閾値以内であるか否かを判定することにより、前記入金紙幣の折れが修正可能なものであるか否かを判定する、
装置。
【請求項７】
請求項１記載の装置であって、
前記折れ修正処理部は、更に、
前記判定部が、前記入金紙幣の折れが修正される可能性がないものであると判定した場合に、前記入金紙幣を返却する返却部
を備えた装置。
【請求項８】
請求項１記載の装置であって、
前記折れ修正処理部は、更に、
真正の紙幣である正券の特徴を示す正券特徴データを記憶する記憶部と、
前記入金紙幣特徴データと前記正券特徴データに基づいて、前記入金紙幣が折れのある正券であるか否かを判定する正券判定部と、
を備え、
前記入金紙幣が折れのある正券である場合にのみ、前記折れ修正処理を実行する、
装置。
【請求項９】
請求項８記載の装置であって、
前記正券判定部は、前記正券特徴データに基づいて、正券が前記欠損領域を生じるように折れた場合の特徴データを生成し、該特徴データと前記入金紙幣特徴データを比較し、入金紙幣が折れのある正券であるか否かを判定する、
装置。
【請求項１０】
請求項１ないし９のいずれかに記載の装置であって、
前記特徴は、
紙幣のデザインと、
紙幣に付加された磁気と、
紙幣の厚みと、
のうち少なくともいずれか１つである装置。
【請求項１１】
請求項１ないし１０のいずれかに記載の装置であって、
前記折れ紙幣は、紙幣の角が折れている耳折れ紙幣、または、紙幣の一部が破れ、破れた部位が捲れて折れている捲れ紙幣である、
装置。
【発明の詳細な説明】
【技術分野】
【０００１】
本発明は、一部に折れがある紙幣の取扱に関する。
【背景技術】
【０００２】
紙幣の角の部分が折れている耳折れ紙幣は、ＡＴＭ（Ａｕｔｏｍａｔｅｄ  Ｔｅｌｌｅｒ  Ｍａｃｈｉｎｅｓ）内で、折れた部分が搬送路の継ぎ目に入りジャムを発生させたり、折れている部分が厚いため紙幣の搬送を不安定にしたりするなど、ＡＴＭの安定稼動の妨げとなることが多い。よって、耳折れ紙幣は利用者に返却することが一般的である。耳折れ紙幣を返却された利用者は、折れを伸ばす修正をしてから紙幣をＡＴＭに再投入することが多い。
【０００３】
【特許文献１】特開平７−１４０４８号公報
【特許文献２】特開２００３−２８８６２８号公報
【発明の開示】
【発明が解決しようとする課題】
【０００４】
しかしながら、利用者が紙幣を再投入した方向が悪ければ、搬送の方向が悪いために紙幣は搬送用のローラなどの作用により再度耳折れを生じるので、紙幣は耳折れ紙幣として再度返却される。この場合には、利用者は何度も折れを修正して紙幣の投入を繰りかえさなければならず、利用者の大きな手間となり問題であった。
【０００５】
このような問題は、紙幣の角の部分が折れている耳折れ紙幣に限らず、紙幣の一部が破れ、破れた部位が捲れて折れている紙幣を含む折れ紙幣に共通の問題であった。更に、ＡＴＭに限らず、現金自動支払機（ｃａｓｈ  ｄｉｓｐｅｎｓｅｒ）や発券装置など、紙幣を取り扱う機能を有する自動取引装置や紙幣取扱装置に共通の問題であった。
【０００６】
本発明は、上記した問題点を解決するためになされたものであり、折れ紙幣を投入した際の利用者の手間を軽減することを目的とする技術を提供することを目的とする。
【課題を解決するための手段】
【０００７】
上記課題の少なくとも一部を解決するため、本発明による装置は、紙幣を用いた入金取引または振込取引を実行するための装置であって、入金された紙幣の特徴を読み取り、入金紙幣の特徴を示す入金紙幣特徴データを取得するセンサ部と、前記入金紙幣特徴データに基づいて、前記入金紙幣は一部に折れがある可能性がある折れ紙幣であるか否かを、前記入金紙幣に一部欠損した欠損領域が存在するか否かにより判定する折れ紙幣判定部と、前記入金紙幣が折れ紙幣である場合は、該入金紙幣の折れを修正するための折れ修正処理を実行する折れ修正処理部とを備えることを特徴とする。
【０００８】
本発明の装置は、折れ紙幣を投入した際の利用者の手間を軽減することを目的として、折れ紙幣の折れを修正するための折れ修正処理を実行することができる。
【０００９】
更に、紙幣を搬送する搬送装置を備え、前記折れ修正処理は、前記搬送装置を制御することによって、前記入金紙幣の搬送の向きを逆向きに変更する処理であるものとしても良い。
【００１０】
入金紙幣の搬送の向きを逆向きにすることにより、入金紙幣の折れを修正する可能性がある。
【００１１】
前記折れ修正処理は、利用者に前記入金紙幣を返却し、前記入金紙幣の再投入方向を指示するガイダンスを表示する処理であって、前記再投入方向は、前記入金紙幣の搬送時に折れが修正される可能性のある方向であるものとしても良い。
【００１２】
これによれば、入金紙幣を返却することで、利用者が折れを修正する可能性がある。利用者が折れを修正しない場合であっても、入金紙幣の折れが搬送時に修正される可能性のある方向で紙幣を再投入するよう指示するガイダンスを表示することにより、入金紙幣の折れが搬送時に修正される可能性がある。入金紙幣の折れが搬送時に修正される可能性のある方向に紙幣が投入された場合は、紙幣が搬送時に再度折れる可能性も低い。
【００１３】
前記入金紙幣特徴データは、前記装置内の前記入金紙幣の画像データを含み、前記折れ修正処理部は、前記ガイダンスに、前記画像データに基づく前記入金紙幣の画像を表示するものとしても良い。
【００１４】
これによれば、利用者に装置内での入金紙幣の画像を見せることができる。
【００１５】
前記折れ修正処理部は、更に、前記入金紙幣が折れ紙幣である場合、該折れが修正される可能性のあるものであるか否かを前記入金特徴データに基づいて判定する判定部を備え、前記判定部が、修正される可能性があると判定した場合にのみ、前記折れ修正処理を実行するものとしても良い。
【００１６】
これによれば、折れが修正可能なものであると判定した場合に折れ修正処理を実行するので、不要な折れ修正処理を実行することが少なくなる。
【００１７】
更に、紙幣を搬送する搬送装置を備え、前記判定部は、前記入金紙幣の折り目の山に相当する部位が、前記入金紙幣が搬送される状態で搬送方向に向いているか否かを判定することにより、前記入金紙幣の折れが修正可能なものであるか否かを判定するものとしても良い。
【００１８】
前記判定部は、前記欠損領域の大きさが、予め定められた閾値以内であるか否かを判定することにより、前記入金紙幣の折れが修正可能なものであるか否かを判定するものとしても良い。
【００１９】
前記折れ修正処理部は、更に、前記判定部が、前記入金紙幣の折れが修正される可能性がないものであると判定した場合に、前記入金紙幣を返却する返却部を備えるものとしても良い。
【００２０】
これによれば、折れが修正不可能なものであると判定した場合には入金紙幣を返却するので、入金紙幣が装置の安定稼動の妨げとなることを防止することができる。
【００２１】
前記折れ修正処理部は、更に、真正の紙幣である正券の特徴を示す正券特徴データを記憶する記憶部と、前記入金紙幣特徴データと前記正券特徴データに基づいて、前記入金紙幣が折れのある正券であるか否かを判定する正券判定部とを備え、前記入金紙幣が折れのある正券である場合にのみ、前記折れ修正処理を実行するものとしても良い。
【００２２】
これによれば、入金紙幣が正券である場合にのみ折れ修正処理を実行するので、不要な折れ修正処理を実行することが少なくなる。
【００２３】
前記正券判定部は、前記正券特徴データに基づいて、正券が前記欠損領域を生じるように折れた場合の特徴データを生成し、該特徴データと前記入金紙幣特徴データを比較し、入金紙幣が折れのある正券であるか否かを判定するものとしても良い。
【００２４】
前記特徴は、紙幣のデザインと、紙幣に付加された磁気と、紙幣の厚みとのうち少なくともいずれか１つであるものとしても良い。
【００２５】
前記折れ紙幣は、紙幣の角が折れている耳折れ紙幣、または、紙幣の一部が破れ、破れた部位が捲れて折れている捲れ紙幣であるものとしても良い。
【００２６】
あるいは、上記課題の少なくとも一部を解決するため、本発明による装置は、紙幣を用いた入金取引または振込取引を実行するための装置であって、紙幣を搬送する搬送装置と、入金された紙幣の一部に折れがあるか否かに関わらず、入金紙幣の折れを修正する目的で、紙幣の搬送の向きを逆向きに変更する折れ修正処理を実行する折れ修正処理部とを備えることを特徴とする。
【００２７】
本発明によれば、入金された紙幣の一部に折れがあるか否かに関わらず、折れ修正処理を実行するので、入金紙幣に折れがあるか否かの判定を省略しつつ、折れがあれば折れ修正処理により折れを修正することも可能である。これにより、折れ紙幣を投入した際の利用者の手間を軽減することができる。
【００２８】
なお、本発明は種々の形態で実現可能であり、例えば、方法，紙幣鑑別装置および方法，これらの方法または装置の機能を実現するためのコンピュータプログラム、そのプログラムを記録した記録媒体等の形態で実現可能である。
【発明を実施するための最良の形態】
【００２９】
図１は、本発明の装置の１種であるＡＴＭ（Ａｕｔｏｍａｔｅｄ  Ｔｅｌｌｅｒ  Ｍａｃｈｉｎｅｓ）１０００を示すブロック図である。ＡＴＭ１０００は、一部に折れがある折れ紙幣の折れを修正する（折れを伸ばす）ことを目的とする折れ修正処理を実行する機能を有する。ＡＴＭ１０００は、表示・操作部１００と、通帳取扱部２００と、カード取扱部３００と、明細票発行部４００と、紙幣取扱装置５００と、記憶部６００と、制御部７００を備える。
【００３０】
表示・操作部１００は、操作内容などのガイダンスを表示し、利用者から取引内容の入力を受け付けるタッチパネルである。通帳取扱部２００は、利用者から挿入された通帳の口座番号を読み取ったり、通帳に残高などを印字したりする機能を有する。カード取扱部３００は、利用者から挿入されたキャッシュカードから口座番号を読み取る機能を有する。明細票発行部４００は、取引内容を示す明細票を印字し、発行する機能を有する。紙幣取扱装置５００は、利用者から取引のために入金された入金紙幣を取り扱う。なお、入金紙幣は、入金取引のために入金された紙幣に限らず、現金による振込取引のために入金された紙幣も含む。
【００３１】
図２は、紙幣取扱装置５００を示す説明図である。上部には、紙幣取扱装置制御部５７０と、紙幣取扱装置記憶部５８０のブロック図を示した。詳しくは後述する。紙幣取扱装置５００は、入出金口５１０と、入出金紙幣収納部５２０と、紙幣鑑別部５３０と、一時保管庫５４０と、搬送装置５５０と、紙幣格納庫５６０を備える。入出金口５１０は、開閉可能なシャッターであり、利用者が入金を行なう際に開く。
【００３２】
入出金紙幣収納部５２０は、仕切板５２４〜５２６を備え、仕切板５２４と仕切板５２５により、投入エリア５２１と、再送エリア５２２と、返却エリア５２３に分けられている。仕切板５２４〜５２６は、図示しない移動制御装置の機能により入出金紙幣収納部５２０内で矢印Ａ１が示す両方向に移動可能である。
【００３３】
紙幣鑑別部５３０は、センサ部５３０ａを備える。図３は、センサ部５３０ａを示す説明図である。図３（ａ）は、センサ部５３０ａの垂直断面の概略図であり、図３（ｂ）は、センサ部５３０ａの水平断面の概略図である。図３（ｂ）では、斜線を施した部分がそれぞれ１つのセンサに相当する。各センサ５３１〜５３５は、紙幣の幅よりも長い距離にわたって複数のセンサが横並びに配置されている。各センサ５３１〜５３５は、各々独立して矢印Ａ２の方向に搬送されてきた入金紙幣Ｐｍの特徴を読み取ることができる。なお、図示した各センサ５３１〜５３５の数は例示であり、実際には図より多数のセンサが横並びに配置されている。
【００３４】
センサ部５３０ａは、２つの反射型カラーセンサ５３１，５３２と、透過型センサ５３３と、磁気センサ５３４と、厚みセンサ５３５を備える。
【００３５】
反射型カラーセンサ５３１の発光部５３１ａと受光部５３１ｂは、紙幣から見て同じ側に配置されている。他の反射型カラーセンサ５３２の発光部５３２ａと受光部５３２ｂも同様である。反射型カラーセンサ５３１，５３２は、入金紙幣両面の画像を読み取り、入金紙幣画像データとして図２の入金紙幣特徴データ記憶領域５８１に記憶させる。画像は、本発明のデザインに相当する。図４（ｂ）は、入金紙幣Ｐｍが図４（ａ）である場合の入金紙幣画像データに基づく入金紙幣の画像を示す説明図である。図４（ａ）の入金紙幣Ｐｍには一部折れがあり、図４（ｂ）の入金紙幣Ｐｍの画像においても折れが確認できる。
【００３６】
図３の透過型センサ５３３の発光部５３３ａと受光部５３３ｂは、紙幣を挟んで反対側に配置されている。透過型センサ５３３は、紙幣の外形を読み取り、入金紙幣外形データとして入金紙幣特徴データ記憶領域５８１に記憶させる。図４（ｃ）は、入金紙幣Ｐｍの入金紙幣外形データに基づく入金紙幣の外形を示す説明図である。図４（ｃ）の入金紙幣Ｐｍの外形においては、紙幣の一部の欠損が確認できる。
【００３７】
図３の磁気センサ５３４は、入金紙幣Ｐｍの印刷に使用された磁性を帯びたインクによる磁気特性を読み取り、入金紙幣磁気データとして入金紙幣特徴データ記憶領域５８１に記憶させる。図４（ｄ）は、入金紙幣磁気データに基づく入金紙幣の磁気パターンを示す説明図である。図４（ｄ）の磁気パターンは、例示である。図４（ｄ）の入金紙幣Ｐｍの磁気パターンにおいては、点線で示す折れ領域Ａａ内で磁気が重なる。
【００３８】
図３の厚みセンサ５３５は、２つのロール５３５ａ，５３５ｂの間を紙幣が通る際のロール５３５ａ，５３５ｂの軸の移動量から紙幣の厚みを測定する。そして、該厚みを入金紙幣厚みデータとして入金紙幣特徴データ記憶領域５８１に記憶させる。図４（ｄ）は、入金紙幣厚みデータに基づく入金紙幣Ｐｍの厚みを示す説明図である。ｔｈ１１〜ｔｈｍｎは、入金紙幣の各部位の厚みを示している。図４（ｄ）の入金紙幣の厚みにおいては、点線で示す折れ領域Ａａ内で厚みが増している。
【００３９】
入金紙幣画像データと、入金紙幣外形データと、入金紙幣磁気データと、入金紙幣厚みデータを併せて入金紙幣特徴データと呼ぶ。なお、入金紙幣画像データからは、入金紙幣Ｐｍの外形も判別可能である。
【００４０】
図２の一時保管庫５４０は、入金紙幣Ｐｍが正券（真正の紙幣）である場合、入金紙幣Ｐｍを紙幣格納庫５６０に格納する前に一時紙幣を保管するための装置である。搬送装置５５０は、搬送ローラ５５１〜５５３と、切替ゲート５５４，５５５と、搬送路５５６を備え、入金紙幣Ｐｍを搬送する。搬送ローラ５５１〜５５３は、それぞれ一対のローラで回転作動し、入金紙幣Ｐｍを搬送路５５６に沿って搬送する。搬送ローラ５５１〜５５３は図示した以外にも多数存在する。切替ゲート５５４，５５５は、入金紙幣Ｐｍの搬送方向を切り替える。詳しくは後述する。紙幣格納庫５６０は、正券を格納する。正券以外に、使用不可能なリジェクト紙幣を格納する場合もある。
【００４１】
紙幣取扱装置制御部５７０は、紙幣状態判定部５７１と、折れ修正処理部５７２と、返却部５７３を備える。紙幣取扱装置制御部５７０は、入金紙幣Ｐｍの一部に折れがある可能性があるか否かを、入金紙幣Ｐｍに一部欠損した欠損領域が存在するか否かにより判定する。紙幣取扱装置制御部５７０は、本発明の折れ紙幣判定部に相当する。紙幣状態判定部５７１は、入金紙幣Ｐｍに欠損領域が存在する場合に、入金紙幣Ｐｍの紙幣状態を判定し、紙幣状態記憶領域５８２に記憶させる。
【００４２】
図５は、紙幣状態を示すための説明図である。紙幣状態には、偽/破れ状態と、折大状態と、順折小状態と、逆折小状態が存在する。図５（ａ），（ｂ）には偽/破れ状態の入金紙幣Ｐｍの例を示した。図５（ａ）は紙幣の一部が破れた入金紙幣Ｐｍである。図５（ｂ）は、紙幣の一部が破損し、更にカラーコピーなどで作成された偽の紙幣Ｐｍ１が貼り付けられている入金紙幣Ｐｍである。図５（ａ），（ｂ）のように、入金紙幣Ｐｍが、斜線で示す欠損領域Ｌａが存在するにも関わらず、正券が折れた紙幣（以下、正券折れ紙幣と呼ぶ）ではない場合は、紙幣状態判定部５７１は、その紙幣が偽/破れ状態であることを紙幣状態記憶領域５８２に記憶させる。他にも、欠損した偽の紙幣など、偽/破れ状態の入金紙幣Ｐｍは種々存在する。
【００４３】
図５（ｃ）には、折大状態の入金紙幣Ｐｍの外形の例を示した。入金紙幣Ｐｍが正券折れ紙幣であり、かつ図５（ｃ）のように斜線で示す欠損領域Ｌａの縦Ｌ１，横Ｗ１の長さの一方が点線で示す閾値Ｂｌ（例えば縦２０ｍｍ，横２０ｍｍ）以上である場合は、紙幣状態判定部５７１は、その紙幣が折大状態であることを紙幣状態記憶領域５８２に記憶させる。
【００４４】
図５（ｄ）には、順折小状態の入金紙幣Ｐｍの外形の例を示した。入金紙幣Ｐｍが正券折れ紙幣であり、かつ図５（ｄ）のように欠損領域Ｌａの縦Ｌ１，横Ｗ１の長さが共に閾値Ｂｌより小さい状態は、折小状態として認識される。また、折小状態であって、かつ、図５（ｄ）に太線で示す折り目Ｌｌの山に相当する部位が紙幣の搬送方向の順方向に向いている場合は、紙幣状態判定部５７１は、その紙幣が順折小状態であることを紙幣状態記憶領域５８２に記憶させる。
【００４５】
図５（ｅ）には、逆折小状態の入金紙幣Ｐｍの外形の例を示した。逆折小状態とは、折小状態であって、かつ、折り目Ｌｌの山に相当する部位が紙幣の搬送方向と逆方向に向いている場合を意味する。このとき、紙幣状態判定部５７１は、その紙幣が逆折小状態であることを紙幣状態記憶領域５８２に記憶させる。紙幣状態判定部５７１は、本発明の判定部と正券判定部に相当する。
【００４６】
図２の折れ修正処理部５７２は、順折小状態の入金紙幣Ｐｍの折れを修正する目的で、折れ修正処理を実行する。返却部５７３は、偽/破れ状態と、折大状態と、逆折小状態の入金紙幣Ｐｍを返却エリア５２３へ返却する。
【００４７】
紙幣取扱装置記憶部５８０は、入金紙幣特徴データ記憶領域５８１と、紙幣状態記憶領域５８２と、正券特徴データベース（ＤＢ）５８３とを備える。入金紙幣特徴データ記憶領域５８１は、先述したように入金紙幣特徴データを記憶するための領域である。
【００４８】
紙幣状態記憶領域５８２は、先述した入金紙幣Ｐｍの紙幣状態を記憶するための領域である。図６は、入金紙幣ＰｍがＡＴＭ１０００に一度に複数枚投入された場合の紙幣状態記憶領域５８２を示す説明図である。紙幣状態記憶領域５８２には、入金紙幣Ｐｍの紙幣状態が入金紙幣Ｐｍの搬送順に記憶される。
【００４９】
図７は、正券特徴ＤＢ５８３を示す説明図である。正券特徴ＤＢ５８３は、図示したように、金種と表裏毎に、正券の画像データと、外形データと、磁気データと、厚みデータ（以下、各々を「正券画像データ」、「正券外形データ」、「正券磁気データ」、「正券厚みデータ」と呼ぶ）を予め記憶している。正券画像データと、正券外形データと、正券磁気データと、正券厚みデータを併せて正券特徴データと呼ぶ。日本紙幣に限らず、外国の紙幣の正券特徴データも記憶しているものとしても良い。
【００５０】
図１の記憶部６００は、各種データやプログラムを記憶する。制御部７００はＡＴＭ１０００の各部と各装置を統括制御する。
【００５１】
図８は、ＡＴＭ１０００が実行する入金時の処理について示すフローチャートである。ＡＴＭ１０００の紙幣取扱装置制御部５７０は、まず、紙幣状態記憶領域５８２を初期化し、紙幣搬送処理を実行する（ステップＳ１）。
【００５２】
図９は、紙幣搬送処理を示すフローチャートである。利用者は、入金時、図２の投入エリア５２１に紙幣を投入する。紙幣取扱装置制御部５７０は、仕切板５２４を矢印Ａ１の右矢印方向に移動させつつ、投入エリア５２１内の紙幣のうち１枚を矢印Ｂ１に沿って搬送させ、センサ部５３０ａに到達させる。センサ部５３０ａは、入金紙幣Ｐｍの入金紙幣特徴データを読み取り、入金紙幣特徴データ記憶領域５８１に記憶させる。
【００５３】
紙幣取扱装置制御部５７０は、入金紙幣特徴データが入金紙幣特徴データ記憶領域５８１に保存されると、この入金紙幣特徴データを用いて図７の正券特徴ＤＢ５８３を検索し、入金紙幣Ｐｍの金種と、表裏と、向きを調べる（ステップＳ１０）。この処理は、図９に示す入金紙幣Ｐｍにおける狭領域Ｎａ内の入金紙幣特徴データと狭領域Ｎａ内の正券特徴データを比較することにより行なわれる。この理由は、小さな折れの有無に関わらずに、金種と表裏と向きとを決定するためである。
【００５４】
次に、紙幣取扱装置制御部５７０は、入金紙幣Ｐｍの入金紙幣外形データと、正券外形データを比較し、入金紙幣Ｐｍに欠損領域Ｌａが存在するか否か判断する（ステップＳ２０）。存在しなければ、入金紙幣Ｐｍの正偽判定をする（ステップＳ３０）。このとき、図９に示す入金紙幣Ｐｍにおける紙幣領域Ｐａ内の入金紙幣特徴データと紙幣領域Ｐａ内の正券特徴データを比較することにより、判定する。
【００５５】
入金紙幣Ｐｍが正券であれば（ステップＳ４０：ＹＥＳ）、紙幣取扱装置制御部５７０は、図２の切替ゲート５５４を点線の状態５５４ｂにし、矢印Ｂ３と矢印Ｂ４に沿って入金紙幣Ｐｍを一時保管庫５４０に搬送する。入金紙幣Ｐｍが正券でなければ（ステップＳ４０：ＮＯ）、紙幣取扱装置制御部５７０は、偽/破れ状態と紙幣状態記憶領域５８２に記憶させる（ステップＳ６０）。そして、図２の切替ゲート５５４を状態５５４ａにし、切替ゲート５５５を点線の状態５５５ｂにし、矢印Ｂ３と矢印Ｂ５に沿って入金紙幣Ｐｍを返却エリア５２３に搬送する（ステップＳ７０）。
【００５６】
一方、入金紙幣Ｐｍに欠損領域Ｌａが存在する場合（ステップＳ２０：ＹＥＳ）、紙幣状態判定部５７１は、紙幣状態判定処理を行なう（ステップＳ１００）。図１０は、紙幣状態判定処理を示すフローチャートである。紙幣状態判定部５７１は、入金紙幣Ｐｍが、正券折れ紙幣であるか否か調べるため、まず、正券特徴データから正券折れ紙幣の特徴データを生成する（ステップＳ１０１）。
【００５７】
図１１は、正券折れ紙幣の画像データを生成する処理を示す説明図である。紙幣状態判定部５７１は、まず、図９のステップＳ１０で該当した正券画像データから欠損領域Ｌａ内の画像データを削除し、切断画像データＣｄを生成する（処理１）。そして、正券画像データが表ならば裏、裏ならば表の正券画像データを正券特徴ＤＢ５８３から検索し、検索された正券画像データの欠損領域Ｌａ内の画像データを取得する（処理２）。取得した画像データを折れ部画像データＢｄと呼ぶ。そして、折れ部画像データＢｄと切断画像データＣｄの折り目Ｌｌが重なるように、両者を重ね合わせる（処理３）。画像データでは、重ね併せ部分は折れ部画像データＢｄのみになるよう重ね合わせる。処理１〜処理３により、正券折れ紙幣の画像データが生成される。ところで、入金デザインデータは、図４（ｂ）で示したように両面分存在するが、欠損領域Ｌａからは、折れが表裏のどちらに生じているのか不明であるため、正券折れ紙幣の画像データは折れが表側に折れている場合と、裏側に折れている場合と、両方を生成する。
【００５８】
正券折れ紙幣の磁気データと厚みデータも画像データと同様にして生成する。但し、磁気データと厚みデータでは、重ね併せ部分は、折れ部画像データＢｄと切断画像データＣｄのデータを足し合わせることにより重ね合わせる。
【００５９】
次に、紙幣状態判定部５７１は、入金特徴データと正券折れ紙幣の特徴データを、画像データと磁気データと厚みデータのそれぞれに関して比較する（ステップＳ１０２）。個々の特徴データ全てが、予め設定されている許容値以上一致しなければ、正券折れ紙幣ではないので、偽/破れ状態であることを紙幣状態記憶領域５８２に記憶させる（ステップＳ１０３）。但し、画像データについては、両面分のうち一方が許容値以上一致するときに正券折れ紙幣であると判定しても良い。紙幣が偽/破れ状態の場合には、返却部５７３は、入金紙幣Ｐｍを図２の返却エリア５２３に搬送する（ステップＳ１０８）。
【００６０】
許容値以上一致した場合は、欠損領域Ｌａの縦Ｌ１，横Ｗ１の長さが各々閾値Ｂｌ以上であるか否かを入金外形データにより調べる（ステップＳ１０４）。縦Ｌ１または横Ｗ１の長さが閾値Ｂｌ以上である場合は、折大状態であることを紙幣状態記憶領域５８２に記憶させ（ステップＳ１０５）、入金紙幣Ｐｍを返却エリア５２３に搬送する（ステップＳ１０８）。
【００６１】
縦Ｌ１または横Ｗ１の長さが共に閾値Ｂｌより小さい場合は、折り目Ｌｌの山が紙幣の搬送方向の順方向に向いているか否かを入金外形データにより調べる（ステップＳ１０６）。順方向に向いていない場合は、逆折小状態であることを紙幣状態記憶領域５８２に記憶させ（ステップＳ１０７）、入金紙幣Ｐｍを返却エリア５２３に搬送する（ステップＳ１０８）。
【００６２】
順方向に向いている場合は（ステップＳ１０６：ＹＥＳ）、順折小状態であることを紙幣状態記憶領域５８２に記憶させる（ステップＳ１０９）。そして、折れ修正処理部５７２は、図２の切替ゲート５５４を状態５５４ａに切り替えると共に、切替ゲート５５５を状態５５５ａに切り替え、矢印Ｂ３と矢印Ｂ５に沿って入金紙幣Ｐｍを再送エリア５２２に搬送する（ステップＳ１１０）。センサ部５３０ａにおいて順折小状態であった紙幣（図５（ｄ））は、再送エリア５２２に搬送されたときに折り目Ｌｌの山が上向きになる。よって、この入金紙幣Ｐｍを矢印Ｂ１に沿って再送した場合、入金紙幣Ｐｍの搬送方向は、先程と逆向きになる。つまり、入金紙幣Ｐｍを再送エリア５２２に搬送する処理は、入金紙幣Ｐｍの搬送の向きを逆向きに変更する処置に相当する。
【００６３】
投入エリア５２１に投入された全ての紙幣について以上の紙幣搬送処理がなされたら（図８のステップＳ２：ＹＥＳ）、折れ修正処理部５７２は、図６の紙幣状態記憶領域５８２を参照し、紙幣状態の中に順折小状態が存在するか否か調べる（ステップＳ３）。存在する場合は、折れ修正処理部５７２は、紙幣状態記憶領域５８２から順折小状態を全て削除し、再送準備処理を行なう（ステップＳ４）。再送準備処理では、具体的には、図２の仕切板５２４と仕切板５２５を矢印Ａ１の右矢印方向に移動させ、投入エリア５２１をなくし、再送エリア５２２を投入エリア５２１の位置にする。
【００６４】
次に、折れ修正処理部５７２は、再送エリア５２２内の入金紙幣Ｐｍの紙幣搬送処理を実行する（ステップＳ１）。以下、折れ修正処理部５７２が再送エリア５２２内の入金紙幣Ｐｍをセンサ部５３０ａまで搬送する処理を再送処理と呼ぶ。再送処理では、折れ修正処理部５７２は、仕切板５２５を矢印Ａ１の右矢印方向に移動させつつ再送エリア５２２内の紙幣のうち１枚を矢印Ｂ１に沿って搬送し、センサ部５３０ａに到達させる。上述したように、再送エリア５２２内の入金紙幣Ｐｍの折り目Ｌｌの山は上向きであるから、入金紙幣Ｐｍが矢印Ｂ１にそって搬送される間に、入金紙幣Ｐｍの折れが搬送ローラ５５１，５５２で押し伸ばされて真っ直ぐに修正されることが期待できる。あるいは、再送エリア５２２内で折れが修正される場合もある。そこで、折れ修正処理部５７２が再送エリア５２２に入金紙幣Ｐｍを搬送する処理（ステップＳ１１０）及び再送処理を、併せて折れ修正処理と呼ぶ。折れ修正処理により折れが修正されれば、紙幣搬送処理における図９のステップＳ２０で欠損領域Ｌａが存在しないと判定され、入金紙幣Ｐｍは一時保管庫５４０に搬送される。万が一、折れが修正されなければ、紙幣搬送処理により入金紙幣Ｐｍの紙幣状態は逆折小状態と判定され、入金紙幣Ｐｍは返却エリア５２３に搬送される（図１０のステップＳ１０８）。
【００６５】
逆折小状態の紙幣に対して折れ修正処理をしない理由は、折れ修正処理をすると、逆折小状態（図５（ｅ））から順折小状態（図５（ｄ））に変わってしまい、搬送中に折れが解消される可能性が低いからである。
【００６６】
ここでは、一度の折れ修正処理により折れが修正されなければ、折れ修正処理を終了させているが、複数回にわたり、折れ修正処理を繰り返すものとしても良い。折れが修正されるまで繰り返すものとしても良い。また、搬送装置５５０に搬送ローラ５５１，５５２を用いたが、これに限らず、折れを修正する作用を期待でき、紙幣を搬送可能なものであれば、他のものであっても良い。
【００６７】
再送エリア５２２内の全ての紙幣について紙幣搬送処理がなされた場合（図８のステップＳ２：ＹＥＳ）、順折小状態は先のステップＳ４の処理で削除されて紙幣状態記憶領域５８２内に存在しない（ステップＳ３：ＮＯ）ので、次のステップＳ５に進む。紙幣状態記憶領域５８２に偽/破れ状態または折大状態または逆折小状態が存在する場合（ステップＳ５：ＹＥＳ）、返却部５７３は、返却処理を実行する（ステップＳ６）。返却処理では、具体的には、図２の仕切板５２４〜５２６を矢印Ａ１の右矢印方向に移動させ、投入エリア５２１と再送エリア５２２をなくし、返却エリア５２３を投入エリア５２１の位置にする。そして、入出金口５１０を開くことにより、紙幣を利用者に返却する。
【００６８】
ところで、一時保管庫５４０に搬送された入金紙幣Ｐｍは、正券であるから、矢印Ｂ４，Ｂ３とは逆向きに搬送し、矢印Ｂ２に沿って紙幣格納庫５６０に搬送されて収納される。
【００６９】
上記実施例のＡＴＭ１０００によれば、入金紙幣Ｐｍの折れを修正する折れ修正処理を実行することができる。折れが自動的に修正されることで、折れを修正する利用者の手間が軽減されるので、利用者１人の取引時間も短縮可能であり、他の利用者の待ち時間を減らすことも可能である。
【００７０】
上記実施例のＡＴＭ１０００では、紙幣状態判定部５７１により、入金紙幣Ｐｍが修正可能な順折小状態であると判定した場合に折れ修正処理を実行するので、無駄な折れ修正処理を実行することも少ない。また、折れの修正が困難なもの（逆折小状態または折大状態）であると判定した場合には入金紙幣Ｐｍを返却しているので、折れのある入金紙幣ＰｍがＡＴＭ１０００の安定稼動の妨げとなることを防止することができる。
【００７１】
ところで、従来、紙幣の外形と紙幣の角の厚みが標準か否かにより折れ紙幣を検出し、折れ紙幣の狭領域Ｎａで紙幣が真正な紙幣であると判定されれば正券扱いする装置が存在した（特許文献１）。しかし、このような判定では、変造券のように紙幣以外のものを角に貼り付けた紙幣も正券として取り扱う場合がある。また、海外の紙幣など、紙幣によってはデザイン上厚みが均一ではないものも存在するので、このような判定方法では判定結果が正確ではないことが多い。本実施例のＡＴＭ１０００は、センサを多数多種類備えているので、より細かい特徴データを取得することができ、より正確に真偽判別可能である。偽・破れ状態の紙幣は返却しているので、偽券や変造券がＡＴＭ１０００の安定稼動の妨げとなることを防止することもできる。
【００７２】
その他の実施例：
（１）上記実施例では、偽/破れ状態または折大状態または逆折小状態であれば一様に利用者に返却するものとしているが、それぞれ別個の処理を行なうものとしても良い。例えば、逆折小状態であれば、折れ修正処理を一度以上繰り返すものとしても良い。折れが修正されるまで繰り返すものとしても良い。あるいは紙幣を返却して、例えば「折れを真っ直ぐにして、再度投入してください。」というメッセージを表示・操作部１００に表示するものとしても良い。また、折大状態であれば、例えば「紙幣の折れが大きいため、お取扱できません。お手数ですが、窓口へご用命ください。」と表示するものとしても良い。偽/破れ状態であれば、例えば「お取扱できません。お手数ですが、窓口へご用命ください。」と表示するものとしても良い。
【００７３】
（２）上記実施例では、紙幣状態を偽/破れ状態または折大状態または逆折小状態または順折小状態に分類しているが、分類の方法はこれに限らず、他の分類を加えても良いし、一部を省略するものとしても良い。例えば、偽/破れ状態または折大状態または逆折小状態を一様にリジェクト状態と分類し、リジェクト状態であれば入金紙幣Ｐｍを返却するものとしても良い。図１２は、一様にリジェクトと分類する場合の紙幣状態判定処理を示すフローチャートである。ここでは、図１０の紙幣状態判定処理とは異なり、入金紙幣Ｐｍが正券折れ紙幣であるか否かの判定を、欠損領域Ｌａが閾値Ｂｌ以上であるか否かの判定と、折り目Ｌｌの山が順方向であるか否かの判定の後で行なっている（ステップＳ１０３Ａ，１０４Ａ）。また、順折小状態に該当しない紙幣は、全てリジェクト状態と判定している（ステップＳ１０１Ａ，Ｓ１０２Ａ，Ｓ１０５Ａ）。このようにすれば、リジェクト状態の紙幣が投入された場合は、正券折れ紙幣であるか否かの判定を行なわないので、処理時間を短縮することができる。このように、紙幣状態判定処理における処理は、一部を省略することも、順番を変更することも可能である。
【００７４】
（３）上記実施例では、ステップＳ１０２において、入金特徴データと正券折れ紙幣の特徴データの個々のデータ全てが、予め設定されている許容値以上一致しなければ、正券折れ紙幣ではないものと判定しているが、画像データと、磁気データと、厚みデータのうち、少なくとも１つに基づいて判定するものとしても良い。その場合、センサ部の各種センサも一部を備えなくても良い。
【００７５】
（４）上記実施例では、入金紙幣Ｐｍを再送エリア５２２に搬送することにより、紙幣の搬送方向を逆向きにしているが、搬送方向を逆にする方法はこれに限らず、様々に考えられる。搬送装置５５０での搬送途中で機械的に搬送方向を逆転させるものとしても良い。
【００７６】
（５）折れ修正処理は、上記実施例で示したものに限らず、種々存在する。例えば、折れ修正処理部５７２が、順折小状態の入金紙幣Ｐｍを利用者に返却し、表示・操作部１００が、図１３に示すようなガイダンスＧｄを表示するようにしても良い。ガイダンスＧｄでは、利用者に、入金紙幣Ｐｍの折れが再度生じにくく、折れを修正する投入方向を指示する。そして、折れ修正処理部５７２が、投入された紙幣を再送する。この折れ修正処理により、折れを修正するものとしても良い。この場合、表示・操作部１００は、本発明の折れ修正処理部に相当する。これによれば、入金紙幣Ｐｍを返却することで、利用者が折れを修正する可能性がある。利用者が折れを修正しない場合であっても、ガイダンスＧｄで示す方向で紙幣が再投入されれば、入金紙幣Ｐｍの折れを修正することが可能となる。
【００７７】
図１３のガイダンスＧｄに表示される紙幣の画像は、入金紙幣特徴データ、特に入金紙幣画像データに基づいて表示するものとしても良い。入金紙幣Ｐｍの画像データを取得する画像データ取得部をセンサ部５３０ａと別個に備える場合は、画像データ取得部が取得した画像データに基づいて、入金紙幣Ｐｍの画像を表示するものとしても良い。入金紙幣Ｐｍの画像を表示する場合、利用者に、自らが投入した紙幣がＡＴＭ１０００内部でどのような状態になっているのか知らせることができ、より説得力のあるガイダンスＧｄを表示することができる。図１３のように、紙幣の投入方向を指示する画像にも、入金紙幣Ｐｍの画像を用いるものとしても良い。
【００７８】
（６）上記実施例では、折れ修正処理により折れが修正されたか否かの判定は、センサ部５３０ａが読み取った入金特徴データに基づいて行なっているが、センサ部５３０ａとは別個にセンサを設け、そのセンサの出力により判定を行なうものとしても良い。
【００７９】
（７）上記実施例では、正券以外の入金紙幣Ｐｍは再送エリア５２２または返却エリア５２３に直接搬送されているが、正券以外の入金紙幣Ｐｍも一旦保管庫に収納してから、再送エリア５２２または返却エリア５２３に搬送するものとしても良い。
【００８０】
（８）上記実施例では、再送エリア５２２と返却エリア５２３は仕切板５２５により分割され、別個に備えられているが、仕切板５２５を備えず、再送エリア５２２と返却エリア５２３が一体となっているものとしても良い。一体となっているエリアを以下では再送・返却エリアと呼ぶ。図１４は、再送・返却エリアが備えられている場合のＡＴＭ１０００の処理を示すフローチャートである。ステップＳ１Ａ，Ｓ２Ａは、図８のステップＳ１，Ｓ２と同じである。ステップＳ３Ａでは、紙幣状態記憶領域５８２の紙幣状態が全て順折小状態ならば、再送準備処理を実行し（ステップＳ４Ａ）、再送・返却エリア内の全ての紙幣を再送処理する。紙幣状態が全て順折小状態でなくとも（ステップＳ３Ａ：ＮＯ）、順折小状態の紙幣が存在するならば（ステップＳ５Ａ：ＹＥＳ）、図１３のガイダンスを表示し（ステップＳ６Ａ）、再送・返却エリア内の全ての紙幣を利用者に返却する（ステップＳ７Ａ）。この場合、図１３のガイダンスには、紙幣状態記憶領域５８２の記憶内容に基づいて、再送・返却エリア内の何枚目の紙幣の向きを変更するのか表示するものとしても良い。順折小状態の紙幣が存在せず（ステップＳ５Ａ：ＮＯ）、偽/破れ状態または折大状態または逆折小状態の紙幣が存在するならば（ステップＳ７Ａ：ＹＥＳ）、再送・返却エリア内の紙幣を利用者に返却する（ステップＳ８ａ）。
【００８１】
（９）上記実施例では記載を省略したが、紙幣取扱装置制御部５７０は、図９のステップＳ１０において、入金紙幣特徴データで図７の正券特徴ＤＢ５８３を検索し、入金紙幣特徴データに該当する正券特徴データが存在しなければ、偽/破れ状態として入金紙幣Ｐｍを返却エリア５２３に搬送するものとしても良い。
【００８２】
（１０）上記実施例では、折れ紙幣として主に紙幣の角が折れている耳折れ紙幣について説明したが、折れ紙幣は、図１５（ａ），（ｂ）のように、一部が破れ、破れた部位Ａｒが折れて捲れている捲れ紙幣も含む。この場合、紙幣が破れたことにより生じた穴Ｈ１の大きさにより、折れが大きいか否か判定する。穴Ｈ１の大きさが閾値より小さいときには、図１３（ａ）の紙幣状態が順折小状態と判定され、図１３（ｂ）の紙幣状態が逆折小状態と判定される。
【００８３】
（１１）上記実施例では、紙幣取扱装置制御部５７０や紙幣取扱装置記憶部５８０は、紙幣取扱装置５００内に備えるものとしたが、少なくとも一部は紙幣鑑別部５３０内に備えるものとしても良い。例えば、紙幣状態判定部５７１と、正券特徴ＤＢ５８３は、紙幣鑑別部５３０内に備え、紙幣鑑別部５３０を紙幣鑑別装置として構成するものとしても良い。あるいは、紙幣取扱装置制御部５７０や紙幣取扱装置記憶部５８０の少なくとも一部は、ＡＴＭ１０００の制御部７００や記憶部６００内に備えるものとしても良い。様々な構成にすることが可能である。
【００８４】
（１２）上記実施例では、入金紙幣Ｐｍが正券折れ紙幣であるか否かを、正券折れ紙幣の特徴データを生成することにより判定したが、正券折れ紙幣であるか否かの判定方法は、これに限らず、様々な方法を用いるものとしても良い。
【００８５】
（１３）上記実施例では、偽/破れ状態または折大状態または逆折小状態の紙幣を利用者に返却しているが、リジェクトボックスを設け、リジェクトボックスに収納するものとしても良い。その場合、折大状態または逆折小状態の紙幣の代わりに、折れのない正券を利用者に返却するものとしても良い。
【００８６】
（１４）上記実施例では、順折小状態の入金紙幣Ｐｍにのみ折れ修正処理を実行していたが、紙幣状態に関わらず、折れ修正処理を実行するものとしても良い。更に、欠損領域Ｌａが存在するか否かに関わらず、折れ修正処理を実行するものとしても良い。一度以上折れ修正処理を実行した後に、欠損領域Ｌａが存在するか否か判定し、欠損領域Ｌａが存在する場合は紙幣を利用者に返却し、欠損領域Ｌａが存在しないと判定した場合は、ステップＳ３０〜Ｓ７０の処理を実行するものとしても良い。これによれば、入金された紙幣に欠損領域Ｌａが存在するか否か、または紙幣状態に関わらず、折れ修正処理を実行するので、入金紙幣Ｐｍに欠損領域Ｌａが存在するか否か、または紙幣状態の判定を省略しつつ、折れがあれば折れ修正処理により折れを修正することも可能である。これにより、折れ紙幣を投入した際の利用者の手間を軽減することができる。
【００８７】
（１５）上記実施例では、装置としてＡＴＭ１０００について説明したが、装置はＡＴＭ１０００に限らず、現金自動支払機（ｃａｓｈ  ｄｉｓｐｅｎｓｅｒ）や発券装置などの自動取引装置や、紙幣取扱装置５００など、紙幣を取り扱う機能を有する装置であれば良い。
【００８８】
以上、実施例に基づき本発明に係る装置、方法、紙幣鑑別装置、およびこれらの機能を実現させるためのプログラムを説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【図面の簡単な説明】
【００８９】
【図１】本発明の装置の１種であるＡＴＭ（Ａｕｔｏｍａｔｅｄ  Ｔｅｌｌｅｒ  Ｍａｃｈｉｎｅｓ）１０００を示すブロック図である。
【図２】紙幣取扱装置５００を示す説明図である。
【図３】センサ部５３０ａを示す説明図である。
【図４】入金紙幣特徴データを示すための説明図である。
【図５】紙幣状態を示すための説明図である。
【図６】入金紙幣ＰｍがＡＴＭ１０００に一度に複数枚投入された場合の紙幣状態記憶領域５８２を示す説明図である。
【図７】正券特徴ＤＢ５８３を示す説明図である。
【図８】ＡＴＭ１０００が実行する入金時の処理について示すフローチャートである。
【図９】紙幣搬送処理を示すフローチャートである。
【図１０】紙幣状態判定処理を示すフローチャートである。
【図１１】正券折れ紙幣の画像データを生成する処理を示す説明図である。
【図１２】一様にリジェクトと分類する場合の紙幣状態判定処理を示すフローチャートである。
【図１３】ガイダンスＧｄを示す説明図である。
【図１４】再送・返却エリアが備えられている場合のＡＴＭ１０００の処理を示すフローチャートである。
【図１５】捲れ紙幣を示す説明図である。
【符号の説明】
【００９０】
１００...表示・操作部
２００...通帳取扱部
３００...カード取扱部
４００...明細票発行部
５００...紙幣取扱装置
５１０...入出金口
５２０...入出金紙幣収納部
５２１...投入エリア
５２２...再送エリア
５２３...返却エリア
５２４〜５２６...仕切板
５３０...紙幣鑑別部
５３０ａ...センサ部
５３１，５３２...反射型カラーセンサ
５３１ａ，５３２ａ...発光部
５３２ａ，５３２ｂ...受光部
５３３...透過型センサ
５３３ａ...発光部
５３３ｂ...受光部
５３４...磁気センサ
５３５
５３５ａ，５３５ｂ...ロール
５４０...一時保管庫
５５０...搬送装置
５５１〜５５３...搬送ローラ
５５４，５５５...切替ゲート
５５４ａ，５５４ｂ...状態
５５５ａ，５５５ｂ...状態
５５６...搬送路
５６０...紙幣格納庫
５７０...紙幣取扱装置制御部
５７１...紙幣状態判定部
５７２...折れ修正処理部
５７３...返却部
５８０...紙幣取扱装置記憶部
５８１...入金紙幣特徴データ記憶領域
５８２...紙幣状態記憶領域
５８３...正券特徴データベース
６００...記憶部
７００...制御部
Ａａ...折れ領域
Ａｒ...破れた部位
Ｂｄ...折れ部画像データ
Ｂｌ...閾値
Ｃｄ...切断画像データ
Ｇｄ...ガイダンス
Ｈ１...穴
Ｌ１...縦
Ｗ１...横
Ｌａ...欠損領域
Ｌｌ...折り目
Ｎａ...狭領域
Ｐａ...紙幣領域
Ｐｍ...入金紙幣
Ｐｍ１...偽の紙幣
【図１】
0004709596.tif 000002
【図２】
0004709596.tif 000003
【図３】
0004709596.tif 000004
【図４】
0004709596.tif 000005
【図５】
0004709596.tif 000006
【図６】
0004709596.tif 000007
【図７】
0004709596.tif 000008
【図８】
0004709596.tif 000009
【図９】
0004709596.tif 000010
【図１０】
0004709596.tif 000011
【図１１】
0004709596.tif 000012
【図１２】
0004709596.tif 000013
【図１３】
0004709596.tif 000014
【図１４】
0004709596.tif 000015
【図１５】
0004709596.tif 000016